(57)【要約】【課題】薄型内容物を外方へ露出させた状態で、薄型内容物を確実に保持することができる薄型内容物用収納容器を提供する。【解決手段】薄型内容物用収納容器１０は底面１１と、４側面１２ａ，１２ｂ，１２ｃ，１２ｄと、上面１３とを備えている。上面１３は２つ折りに折曲げられて、自由端部１３ｄが基端部１３ｃ側にくる。側面１２ａに、縦線１４ａと水平線１４ｂとからなる第１破断線１４が形成され、側面１２ｂに傾斜線からなる第２破断線１６が形成されている。側面１２ａを第１破断線１４に沿って破断し、側面１２ｂを第２破断線１６に沿って破断することにより、側面１２ａに矩形状の第１開口１５が形成され、側面１２ｂに三角形状の第２開口１７が形成される。【選択図】図１
0003150672.tif 000002
【実用新案登録請求の範囲】
【請求項１】
縦方向に配置された多数の薄型内容物を積層して収納する薄型内容物用収納容器において、
底面と、
４側面と、
上面とを備え、
隣り合う２側面のうち一方の側面に縦線と、この縦線の下端に連結された水平線とからなる第１破断線が形成され、他方の側面に第１破断線の水平線の終端に連結された傾斜線からなる第２破断線が形成され、
２側面を第１破断線と第２破断線に沿って破断することにより、一方の側面に側方支持板と下方支持板を残して矩形状の第１開口が形成され、他方の側面に傾斜支持板を残して三角形状の第２開口が形成されることを特徴とする薄型内容物用収納容器。
【請求項２】
上面は基端部と自由端部とを有し、２つ折りに折曲げられて自由端部が基端部側にきて薄型内容物の表示部を形成することを特徴とする請求項１記載の薄型内容物用収納容器。
【請求項３】
上面の基端部に対応する側面に上面の自由端部が挿入される切込が設けられていることを特徴とする請求項２記載の薄型内容物用収納容器。
【請求項４】
一方の側面に設けられた縦線は、一方の側面の上端縁から当該側面の高さの１／２〜４／５まで下方に向かって延び、これによって下方支持板は一方の側面の高さの１／５〜１／２の高さを有することを特徴とする請求項１記載の薄型内容物用収納容器。
【請求項５】
一方の側面に設けられた縦線は、水平線側へわずかに傾斜していることを特徴とする請求項３記載の薄型内容物用収納容器。
【請求項６】
側方支持板は一方の側面の幅の１／５〜１／２の幅を有することを特徴とする請求項１記載の薄型内容物収納容器。
【考案の詳細な説明】
【技術分野】
【０００１】
本考案は縦方向に配置された多数の薄型内容物を積層して収納する薄型内容物用収納容器に係り、とりわけ薄型内容物を外方へ露出することができ、かつ薄型内容物を確実に保持することができる薄型内容物用収納容器に関する。
【背景技術】
【０００２】
従来より、縦方向に配置された多数の薄型内容物を積層して収納する薄型内容物用収納容器が知られている。このような薄型内容物用収納容器は底面と、４側面と、上面とを備えている。この場合、上面の基端部は一側面に固着され、基端部を中心として上面を開くことにより収納容器が開封される。
【０００３】
そして開封された収納容器から、薄型内容物が一枚ずつ取出される。
【考案の概要】
【考案が解決しようとする課題】
【０００４】
ところで収納容器内に収納された薄型内容物をお客様に販売する場合、収納容器を開封した後、薄型内容物を外方へ露出させた状態に保ちながら、薄型内容物を収納容器内に確実に保持することが望まれている。
【０００５】
本考案はこのような点を考慮してなされたものであり、薄型内容物を外方へ確実に露出させることができ、かつこの状態で薄型内容物を確実に保持することができ、これによってお客様に対して十分な展示、販売促進効果を得ることができる薄型内容物用収納容器を提供することを目的とする。
【課題を解決するための手段】
【０００６】
本考案は、縦方向に配置された多数の薄型内容物を積層して収納する薄型内容物用収納容器において、底面と、４側面と、上面とを備え、隣り合う２側面のうち一方の側面に縦線と、この縦線の下端に連結された水平線とからなる第１破断線が形成され、他方の側面に第１破断線の水平線の終端に連結された傾斜線からなる第２破断線が形成され、２側面を第１破断線と第２破断線に沿って破断することにより、一方の側面に側方支持板と下方支持板を残して矩形状の第１開口が形成され、他方の側面に傾斜支持板を残して三角形状の第２開口が形成されることを特徴とする薄型内容物用収納容器である。
【０００７】
本考案は、上面は基端部と自由端部とを有し、２つ折りに折曲げられて自由端部が基端部側にきて薄型内容物の表示部を形成することを特徴とする薄型内容物収納容器である。
【０００８】
本考案は、上面の基端部に対応する側面に上面の自由端部が挿入される切込が設けられていることを特徴とする薄型内容物用収納容器である。
【０００９】
本考案は、一方の側面に設けられた縦線は、一方の側面の上端縁から当該側面の高さの１／２〜４／５まで下方に向かって延び、これによって下方支持板は一方の側面の高さの１／５〜１／２の高さを有することを特徴とする薄型内容物用収納容器である。
【００１０】
本考案は、一方の側面に設けられた縦線は、水平線側へわずかに傾斜していることを特徴とする薄型内容物用収納容器である。
【００１１】
本考案は、側方支持板は一方の側面の幅の１／５〜１／２の幅を有することを特徴とする薄型内容物収納容器である。
【考案の効果】
【００１２】
以上のように本考案によれば、薄型内容物を外方へ露出させた状態に保ちながら、薄型内容物を薄型内容物収納容器内に確実に保持することができる。このためお客様に対して十分な展示、販売促進効果を得ることができる。
【図面の簡単な説明】
【００１３】
【図１】図１は本考案による薄型内容物用収納容器の一実施例を示す斜視図であって、開封された状態を示す図。
【図２】図２は本考案による薄型内容物用収納容器の斜視図であって、密封された状態を示す図。
【考案を実施するための形態】
【００１４】
以下、図面を参照して本考案の実施の形態について説明する。
【００１５】
図１および図２は、本考案による薄型内容物用収納容器の一実施の形態を示す図である。
【００１６】
図１および図２に示すように、薄型内容物用収納容器１０は縦方向に配置された多数の薄型内容物１を互いに積層して収納するものであり、薄型内容物１としては例えば食品パッケージが挙げられ、このような薄型内容物用収納容器１０内に収納された食品パッケージはお客様に販売される。
【００１７】
薄型内容物用収納容器１０は直方体状をなしている。このような薄型内容物用収納容器１０は底面１１と、底面１１の４側縁に連結された４側面１２ａ，１２ｂ，１２ｃ，１２ｄと、４側面１２ａ，１２ｂ，１２ｃ，１２ｄを覆う上面１３とを備えている。
【００１８】
このうち上面１３は基端部１３ｃと自由端部１３ｄとを有するとともに、中央部の折曲線１３ｅを介して基端側部分１３ａと自由端側部分１３ｂとに区画されている。そして上面１３を折曲線１３ｅを介して２つ折りに折曲げることにより、自由端部１３ｄが基端部１３ｃ側にくる。
【００１９】
また上面１３の自由端側部分１３ｂには、薄型内容物１の内容を表示する表示部１８が形成されている。
【００２０】
さらに４側面１２ａ，１２ｂ，１２ｃ，１２ｄのうち、隣り合う２側面１２ａ，１２ｂには、第１破断線１４と、第２破断線１６とが各々形成されている。
【００２１】
隣り合う側面１２ａ，１２ｂのうち一方の側面１２ａに形成された第１破断線１４は、側面１２ａの上端縁１９のうち側面１２ｄ側の地点１９ａから下方に向かって延びる縦線１４ａと、この縦線１４ａの下端２０に連結された水平線１４ｂとからなる。
【００２２】
この場合、一方の側面１２ａの上端縁１９にある地点１９ａは、側面１２ａの幅をＷとすると、幅Ｗの１／５〜１／２だけ側面１２ｄ側から離れている。このため地点１９ａが側面１２ｄから幅Ｗの１／５だけ離れている場合、後述する側方支持板２３はＷ×１／５の大きさの幅を有する。
【００２３】
また、側面１２ａに形成された縦線１４ａは、側面１２ａの高さｈの１／２〜４／５だけ上端縁１９から下方に向かって延びるとともに、水平線１４ｂに向かってわずかに傾斜している。このため縦線１４ａが側面１２ａの高さｈの４／５だけ上端縁から下方に向って延びる場合、後述する下方支持板２４はｈ×１／５の高さを有する。
【００２４】
また他方の側面１２ｂに形成された第２破断線１６は、第１破断線１４の水平線１４ｂの終端２０に連結された傾斜線１６からなっている。この傾斜線１６は水平線１４ｂの終端２１から上面１３の基端部１３ｃに向かって傾斜しながら直線上に延びている。
【００２５】
そして一方の側面１２ａを第１破断線１４に沿って破断するとともに、他方の側面１２ｂを第２破断線１６に沿って破断することにより、一方の側面１２ａに例えばＷ×１／５の幅を有する側方支持板２３と、側方支持板２３に連結されたｈ×１／５の高さを有する下方支持板２４を残して矩形状の第１開口１５が形成され、同時に他方の側面１２ｂに傾斜支持板２５を残して三角形状の第２開口１７が形成される。この場合、第１開口１５と第２開口１７は連通して、比較的大きな開口１５，１７を形成する。
【００２６】
また、上面１３の基端部１３ｃに対応する側面１２ｃに、上面１３の自由端部１３ｄを挿入する切込２６が形成され、２つ折りに折曲げられた上面１３の自由端部１３ｄを側面１２ｃの切込２６内に挿入することにより、上面１３を２つ折りに折曲げた状態に保つことができる。
【００２７】
次にこのような構成からなる本実施の形態の作用について説明する。
【００２８】
まず、薄型内容物用収納容器１０内部に、縦方向に配置された多数の薄型内容物１が積層して収納され、薄型内容物用収納容器１０が密封される。
【００２９】
次に薄型内容物用収納容器１０を開封する作用について述べる。
【００３０】
まず上面１３を基端部１３ｃを中心として回動させて、一方の側面１２ａ内に折りしろとして挿入されていた自由端部１３ｄを側面１２ａ内から引き抜く。
【００３１】
次に上面１３を折曲線１３ｅを介して２つ折りに折り曲げ、上面１３を基端側部分１３ａと自由端側部分１３ｂとに区画し、上面１３の自由端部１３ｄが基端部１３ｃ側にきて側面１２ｃの切込２６内に挿入される。このようにして上面１３が２つ折りに折曲げた状態に保たれ、更に上面１３の自由端側部分１３ｂに形成された表示部「ＡＢＣ」１８が表示される。
【００３２】
その後、側面１２ｄ上端縁に形成されていた折りしろ（図示せず）を側面１２ｄから取外し、一方の側面１２ａを縦線１４ａと水平線１４ｂとからなる第１破断線１４に沿って破断するとともに、他方の側面１２ｂを傾斜線からなる第２破断線１６に沿って破断する。このことにより一方の側面１２ａに側方支持板２３と、側方支持板２３に連結された下方支持板２４を残して矩形状の第１開口１５が形成され、同時に他方の側面１２ｂに傾斜支持板２５を残して三角形状の第２開口１７が形成される。
【００３３】
この場合、第１開口１５と第２開口１７とによって薄型内容物用収納容器１０内が大きく開かれて、収納容器１０内に収納されていた薄型内容物１を外方に確実に露出することができる。また、収納容器１０内の薄型内容物１は側面１２ａの側方支持板２３および下方支持板２４と、側面１２ｂの傾斜支持板２５と、側面１２ｄと、側面１２ｃとによって４方から堅固に保持される。
【００３４】
従って、薄型内容物１が販売されてその数が徐々に少なくなっても、残った薄型内容物１を確実に保持することができる。
【００３５】
以上説明したように本実施の形態によれば、内部に収納した薄型内容物１を外方へ確実に露出することができる。また薄型内容物１が販売されてその数が減少しても、残った薄型内容物１を確実に保持することができる。
【符号の説明】
【００３６】
１  薄型内容物
１０  薄型内容物用収納容器
１１  底面
１２ａ，１２ｂ，１２ｃ，１２ｄ  側面
１３  上面
１３ａ  基端側部分
１３ｂ  自由端側部分
１３ｃ  基端部
１３ｄ  自由端部
１４  第１破断線
１４ａ  縦線
１４ｂ  水平線
１５  第１開口
１６  第２破断線
１７  第２開口
２３  側方支持板
２４  下方支持板
２５  傾斜支持板
２６  切込
【図１】
0003150672.tif 000003
【図２】
0003150672.tif 000004